(57)【特許請求の範囲】
【請求項１】
魚釣りに用いる釣竿であって、
竿体と、
前記竿体の周面に射出成型によって設けられた発泡樹脂層と、
前記発泡樹脂層の周面上に形成された木または合成樹脂製のリールシートとを備えた釣竿。
【請求項２】
前記発泡樹脂層はポリウレタン樹脂からなる、請求項１に記載の釣竿。
【請求項３】
前記リールシートは熱可塑性樹脂からなり、竿体に射出成型されている、請求項１または２に記載の釣竿。
【発明の詳細な説明】
【０００１】
【発明の属する技術分野】
本発明は、魚釣りに用いる釣竿に関する。
【０００２】
【従来の技術】
従来の釣竿には、竿体と、竿体の竿元側端部に形成された竿元グリップと、竿体の竿元グリップの穂先側に形成された前グリップと、竿元グリップと前グリップとの間に形成されリールを装着可能なリールシートとを備えている。このリールシートは、商品用途に応じて様々な素材から形成されている。例えば、プラスチックや金属から形成され竿体に直接射出成形されたものや、コルク材を所定の形状に加工したもの等がある。
【０００３】
【発明が解決しようとする課題】
リールの巻き上げ時などにおいては、リール及びリールシートを握って操作を行う。しかし、冬場の気温の低下した環境下等においては、従来のプラスチックや金属等から形成されたリールシートを素手で握るのはつらい場合がある。これは、気温の低下した状況下では、ユーザの手からリールシートを介して竿体等に熱が次々に逃げてゆき、体感的にリールシートが非常に冷たく感じるためである。
【０００４】
本発明の課題は、気温の低下した状況で把持しても冷たくなく、把持しやすい釣竿を提供することにある。
【０００５】
【課題を解決するための手段】
発明１にかかる釣竿は、魚釣りに用いる釣竿であって、竿体と、竿体の周面に射出成型によって設けられた発泡樹脂層と、発泡樹脂層の周面上に形成された木または合成樹脂製のリールシートとを備えている。この場合には、竿体周面に形成された熱伝導率の小さい発泡樹脂層がリールシートから竿体への熱の移動を低下させる。従って、リールシートを把持した際にユーザの手からリールシートへ伝達された熱を竿体へ逃がすことなくリールシート内に閉じこめ、リールシートの温度を速やかに上昇させる。この結果、リールシートを把持した場合に、手によってリールシートがすぐに暖まり把持しやすくなる。さらに、発泡樹脂層が形成されているので、全体として軽量化が可能となると共に、射出成型によって形成されるので、製造が容易になるとともに機械的強度及び固定強度が向上し、釣竿の耐久性及び操作性が向上する。
【０００６】
発明２にかかる釣竿は、発明１の釣竿であって、発泡樹脂層はポリウレタン樹脂からなる。この場合には、ポリウレタン樹脂がリールシートから竿体への熱の移動を有効に抑えて、リールシートの温度を速やかに上昇させる。発明３にかかる釣竿は、発明１または２の釣竿であって、リールシートは熱可塑性樹脂からなり、竿体上に射出成型されている。
【０００７】
この場合には、リールシート及び発泡樹脂層が射出成型されているので、製造が容易になるとともに機械的強度及び固定強度が向上し、釣竿の耐久性及び操作性が向上する。
【０００８】
【発明の実施の形態】
［第１実施形態］
以下、本発明の第１実施形態について図面を参照しつつ説明する。
（構成）
本発明の第１実施形態を採用した釣竿は、図１に示すように、元竿１と元竿１の穂先側に元竿１内に挿入されかつ収納可能に連結された複数の内部竿体２とを有している。
【０００９】
元竿１は、竿元側端部に設けられたグリップ３と、グリップ３よりやや穂先側の外周面に設けられリール５が装着されるリールシート４と、リールシート４の穂先側の外周面に設けられリール５からの釣糸Ｌを竿体内部に挿入するための糸導入孔６とを有している。複数の内部竿体２は、複数の竿体が順次竿元側の竿体に挿入され収納可能になっており、最も穂先側の竿体の穂先側先端にはトップガイド７が設けられている。そして、リール５から導かれた釣糸Ｌは糸導入孔６から元竿１及び内部竿体２内に導入され、トップガイド７から外部へ導かれる。
【００１０】
図２及び図３に示すように、リールシート４は元竿１上の所定の位置に固定された筒状の部材である。リールシート４は、本体部２１と、本体部２１の長さ方向に設けられたレール部２２と、レール部２２の穂先側に設けられた固定フード２３と、レール部２２上を長さ方向に移動可能な可動フード２４と、可動フード２４に設けられ可動フード２４の位置決めを行うロック部材２５とを有している。そして、固定フード２３と可動フード２４との間の本体部２１上にリール５の脚部を載せて、可動フード２４を移動させてリール５の脚部を固定する。
【００１１】
このリールシート４は、後に詳しく説明するように、元竿１の外周の所定の位置に形成された発泡樹脂層３０上に形成されている。この発泡樹脂層３０はポリウレタン系樹脂から形成されている。
（製造方法）
以下に、リールシート４を元竿１上に製造する方法を説明する。
【００１２】
まず、図４（ａ）に示すように、マンドレル５０の周面に離型材を塗布し、さらに必要に応じて離型テープ（図示せず）を巻回する。そして、離型テープの外周に繊維強化樹脂からなる複数のプリプレグテープ１０１〜１０３を巻回する。このプリプレグテープ１０１〜１０３は後に元竿１を形成することになるものである。このプリプレグテープ１０１〜１０３は、例えば炭素繊維やガラス繊維が混入され補強された合成樹脂製のテープ部材である。そして、例えば、最内層に位置するプリプレグ１０１はマンドレル５０の周方向に繊維が配向するように巻回され、他のプリプレグテープ１０２，１０３はマンドレル５０の長さ方向に繊維が配向するように巻回する。その後、保護用テープ等を巻回して焼成し、マンドレル５０及び保護用テープ，離型テープ等を取り外して所定の表面処理を施し元竿１を形成する。
【００１３】
続いて、図４（ｂ）に示すように、この元竿１の外周のリールシート４を形成するべき位置に、第１金型２００を配置する。この第１金型２００は、一対の半割部材２００ａ，２００ｂとを有している。この第１金型２００を所定の位置に配置した後、第１金型２００と元竿１との間の空間に発泡樹脂材を加圧注入する。その後発泡樹脂材は冷却固化され元竿１に密着固化して発泡樹脂層３０となる。
【００１４】
この発泡樹脂層３０を形成後、図４（ｃ）に示すように、発泡樹脂層３０の外周に第２金型３００を配置する。この第２金型３００は、１対の半割部材３００ａ，３００ｂと、中子部材３００ｃとを有している。この中子分材３００ｃはリールシート４の固定フード部２３を形成するためのものであり、１対の半割部材３００ａ，３００ｂ内を長さ方向に移動自在になっている。金型３００を所定の位置に配置した後、金型３００と元竿１との間の空間に加熱した熱可塑性樹脂を加圧注入し、リールシート４の本体部２１及び固定フード部２３を形成する。熱可塑性樹脂は、発泡樹脂層３０上で冷却され、収縮固化して発泡樹脂層３０に強固に密着接触する。
【００１５】
なお、金型内に予め成型された合成樹脂または金属製のリールシート４の本体部２１をセットして、元竿１とこの本体部２１との間に熱溶解させた発泡樹脂を注入し、発泡樹脂挿３０を形成してもよい。
その後、レール部２２及び可動フード２４等をそれぞれ設けて、リールシート４を製造する。
（作用）
このように構成された釣竿では、リールを巻き上げる際などのユーザがリールシートを把持する際に、発泡樹脂層３０がリールシート４から元竿１への熱の移動を抑え、ユーザの手からリールシート４へ伝達された熱を元竿１へ逃がすことなくリールシート４内に閉じこめ、リールシート４の温度を速やかに上昇させる。この結果、気温の低い冬場の釣りにおいても、快適に釣りを行うことができる。さらに、発泡樹脂層３０が形成されているので、全体としてリールシート４の軽量化が可能となる。
【００１６】
なお、リールシート４及び発泡樹脂層３０は元竿１射出成型されており、製造が容易になるとともに機械的強度及び固定強度が向上し、釣竿の耐久性及び操作性も向上する。
［第２実施形態］
以下、本発明の第２実施形態について図面を参照しつつ説明する。
【００１７】
本発明の第２実施形態を採用した釣竿は、図５に示すように、元竿６１と元竿６１の穂先側に並継ぎ形式で連結された複数の竿体ユニット６２とを有している。
元竿６１は、竿元側端部に設けられた竿元グリップ６３と、竿元グリップ６３よりやや穂先側の外周面に設けられリールが装着されるリールシート６４と、リールシート４の穂先側に設けられた前グリップ６６とを有している。また、竿体ユニット６２には複数のガイドリング６７が所定の間隔を隔てて形成されている。そして、リールから導かれた釣糸Ｌはガイドリング６７を順次通って穂先側へ導かれる。
【００１８】
元竿６１及び竿体ユニット６２は、炭素繊維等によって強化された繊維強化樹脂からなるプリプレグを焼成して形成した先細りテーパ状の筒状部材である。また、竿元グリップ６３及び前グリップ６６は元竿６１に接着剤等で固定されたコルク製の筒状部材である。コルクを所定の形状に加工した後に元竿６１にはめ込まれて接着固定されている。
【００１９】
一方、図６に示すように、リールシート６４は元竿６１上に形成された発泡樹脂層７０上に配置され接着剤等で固定された木製の部材である。このリールシート６４にはリールの脚部を載置可能なように上部に載置部６４ａが形成されている。このリールシート６４の竿元側には軸方向にねじ式に回転しながら移動可能に形成された固定部６９が設けられており、この固定部６９を軸方向に移動して載置部６４ａに載せたリールの脚部を固定する。この発泡樹脂層７０は元竿６１に合致するように筒状に形成されたポリウレタン樹脂材であり、元竿６１に接着剤で固定されている。
【００２０】
このように構成された釣竿では、発泡樹脂層７０がリールシート６４から元竿６１への熱の移動を抑え、ユーザの手からリールシート６４へ伝達された熱を元竿６１へ逃がすことなくリールシート６４内に閉じこめ、リールシート６４の温度を速やかに上昇させる。この結果、気温の低い冬場の釣りにおいても、快適に釣りを行うことができる。
【００２１】
［他の実施形態］
（ａ）射出成型によって形成するリールシートは合成樹脂の外、鉄，ステンレス，これらの合金等からなる金属製部材としてもよい。
（ｂ）発泡樹脂以外の断熱部材をリールシート内に設けてもよい。
【００２２】
【発明の効果】
本発明にかかる釣竿では、リールシートが発泡樹脂層を内包しているので、気温の低下した状況で把持しても冷たくなく、把持しやすい。
【図面の簡単な説明】
【図１】本発明の第１実施形態を採用した釣竿の全体図。
【図２】図１のリールシート付近の拡大図。
【図３】図１のリールシート付近の断面図。
【図４】本発明の第１実施形態を採用した釣竿の製造工程を示す図。
【図５】本発明の第２実施形態を採用した釣竿の全体図
【図６】図５のリールシート付近の断面図。
【符号の説明】
１，６１  元竿
２  内部竿体
４，６４  リールシート
３０，７０  発泡樹脂層
５０  マンドレル
６２  竿体ユニット
【図１】
0003985919.tif 000002
【図２】
0003985919.tif 000003
【図３】
0003985919.tif 000004
【図４】
0003985919.tif 000005
【図５】
0003985919.tif 000006
【図６】
0003985919.tif 000007